(57)【要約】【課題】  篩機の篩枠の入れ替えや点検作業などの省力化、篩枠の組み方の正誤の確認を容易にする篩枠の固定装置を提供する。【解決手段】  積み重ねた篩網枠４の篩機本体側３の角部二面５を、本体の側壁に取り付けた固定Ｌ字杆６で支持し、篩網枠４の外側角部二面１０を開閉自在に支持された可動Ｌ字杆９・１３で支持し、可動Ｌ字杆９・１３間に架設した締め付け具１１・１４で締付け、篩網枠４あるいは篩網枠群４０を固定する。【選択図】  図３
2005296767.tif 000002
【特許請求の範囲】
【請求項１】
篩網を張設した複数の篩網枠を本機取付台上の所定の位置に積み重ねて収容固定し、前記篩網枠を揺動運動させて、粉粒体の篩い分けを行う篩機において、篩網枠を積層収容した際の本体側に位置する篩網枠の角部二面を、本体に立設した固定Ｌ字杆でそれぞれ支持するとともに、外側に位置する篩網枠の角部二面を、一端が回動可能に軸支されたホルダーアームの先端に立設した可動Ｌ字杆にてそれぞれ支持し、前記篩網枠の外側角部を支持する可動L字杆間を締め付け手段により締め付け、積層収容した篩網枠を固定することを
特徴とする篩機の篩網枠固定装置。
【請求項２】
篩網を張設した複数の篩網枠を本機取付台上の所定の位置に積み重ねて収容固定し、前記篩網枠を揺動運動させて、粉粒体の篩い分けを行う篩機において、篩網枠を積層収容した際の本体側に位置する篩網枠の角部二面を、本体に立設した固定Ｌ字杆でそれぞれ支持するとともに、外側に位置する篩網枠の角部二面を、一端が回動可能に軸支されたホルダーアームの先端に立設した可動Ｌ字杆にてそれぞれ支持し、前記篩網枠の外側角部を支持する可動L字杆間を締め付け手段による締め付けにより、積層収容した篩網枠の側面固定手段と篩網枠の上下面固定手段とで篩網枠を固定することを特徴とする篩機の篩網枠固定装置。
【請求項３】
篩網を張設した複数の篩網枠を積み重ねて篩網枠群を形成し、これらを本機取付台上の所定の位置に収容固定し、前記篩網枠群を揺動運動させて、粉粒体の篩い分けを行う篩機において、篩網枠を積層した篩網枠群を縦方向にねじ付連結棒又は長尺のボルトで保持し、該篩網枠群を本機取付台上の所定の位置に収納する際に、本体側に位置する篩網枠群の角部二面を、本体に立設した固定Ｌ字杆でそれぞれ支持するとともに、外側に位置する篩網枠群の角部二面を、一端が回動可能に軸支されたホルダーアームの先端に立設した可動Ｌ字杆にてそれぞれ支持し、前記篩網枠群の外側角部を支持する可動L字杆間を締め付け手段による締め付けにより、積層収容した篩網枠群の側面固定手段と篩網枠群の上下面固定手段とで篩網枠群を固定することを特徴とする篩機の篩網枠固定装置。
【請求項４】
前記篩網枠の上下面固定手段が、上面締付用長尺ねじ付き締付棒であることを特徴とする請求項２又は３記載の篩機の篩網枠固定装置。
【発明の詳細な説明】
【技術分野】
【０００１】
この発明は食品、飼料、農産加工品、化学製品などにおける粉粒体の篩分機において、特に水平運動により篩分けを行う篩機に使用される篩網枠を、固定する篩網枠固定装置に関する。
【背景技術】
【０００２】
篩網を張設した複数の篩網枠を機内所定位置に順に積層収容し、篩枠を水平運動により揺動させ、粉粒体を粒径ごとに篩い分けする篩機の篩網枠固定装置として、例えば、図５に示す装置がある。
【０００３】
図５は篩機の外観を示す図であり、篩網を張設した篩網枠ａを複数枚積層し、該積層した篩網枠を機台ｂの収納所定位置に収納し、積層した篩網枠ａに長尺のボルトｃを挿通しナットｄで上下方向に締め付け固定している。なおｅは駆動装置室、ｆは投入口である。
【０００４】
また、数段重ねた篩網枠を長ねじとリンク機構を応用して、篩網枠の側面または上面で締め付け上下を固定する方法、あるいは、篩網枠を収納ボックスに重ねて入れ、扉で一側面を押さえると同時に、上方より押しねじで締め付けて固定する方法などがある。
【０００５】
さらに、数段重ねた篩網枠保持手段として、積み重ねた篩網枠の四隅を縦方向にＬ字型部材を当て、ねじによって押しつける篩網枠固定保持手段を用いた篩装置が知られている。
【特許文献１】特開２００１−１０４８８５
【発明の開示】
【発明が解決しようとする課題】
【０００６】
上記の何れの篩網枠保持手段も、積層する篩網枠の数が一室当たり数段〜十数段と高く積み上げるので、確実な固定をするにはかなりの手間やコストがかかり、また、篩網枠の交換や清掃作業をする際の篩枠の取り出しや収納に手間が掛かりすぎるなどの問題がある。
この発明は上記のの課題を解決するために、以下の構成としたことである。
【課題を解決するための手段】
【０００７】
この発明は篩網を張設した複数の篩網枠を本機取付台上の所定の位置に積み重ねて収容固定し、前記篩網枠を揺動させて粉粒体の篩分けを行う篩機において、篩網枠を積層収納した際の本体側に位置する篩網枠の角部を本体に立設した固定Ｌ字杆でそれぞれを支持するとともに、外側に位置する篩網枠の角部を、一端が回動可能に軸支されたホルダーアームの先端に立設した可動Ｌ字杆にてそれぞれ支持し、前記篩網枠の外側角部を支持する可動Ｌ字杆間を締め付け手段により締め付け、積層収納した篩網枠の側面を固定する篩機の篩網枠固定装置としたことである。
【０００８】
また、篩篩網を張設した複数の篩網枠を本機取付台上の所定の位置に積み重ね固定し、前記篩網枠を揺動させて粉粒体の篩分けを行う篩機において、篩網枠を積層収納した際の本体側に位置する篩網枠の角部を本体に立設した固定Ｌ字杆でそれぞれを支持するとともに、外側に位置する篩網枠の角部を、一端が回動可能に軸支されたホルダーアームの先端に立設した可動Ｌ字杆にてそれぞれ支持し、前記篩網枠の外側角部を支持する可動Ｌ字杆間の締め付け手段と、長尺のねじ付締付棒による篩網枠の上下面固定手段とで篩網枠の上下面及び側面を固定する篩機の篩網枠固定装置としたことである。
【０００９】
また、篩網を張設した複数の篩網枠を積み重ね、これらを本機取付台上の所定の位置に収納固定し、前記篩網枠群を揺動させて粉粒体の篩分けを行う篩機において、篩網枠を積層した篩網枠群を縦方向にねじ付き連結棒又は長尺のボルトで一体に保持し、該篩網枠群を本機取付台上の所定の位置に収納する際に、本体側に位置する篩網枠群の角部を本体に立設した固定Ｌ字杆でそれぞれを支持するとともに、外側に位置する篩網枠群の角部を、一端が回動可能に軸支されたホルダーアームの先端に立設した可動Ｌ字杆にてそれぞれ支持し、前記篩網枠の外側角部を支持する可動Ｌ字杆間の締め付け手段と、長尺のねじ付締付棒による篩網枠の上下面固定手段とで篩網枠の上下面及び側面を固定する篩機の篩網枠固定装置としたことである。
【発明の効果】
【００１０】
この発明は多数積層した篩網枠の側面をＬ字型金具で固定すること、すなわち、積層した篩網枠の角部二面は、本体に取り付けた固定Ｌ字杆で支持し、他側の角部二面は、ヒンジを利用して開閉自由とする可動Ｌ字杆とで支持するように形成しなるので、固定Ｌ字杆と可動Ｌ字杆の両杆で積層した篩網枠の四隅を支持した後、可動Ｌ字杆に設けた締め付け手段により側面を固定し、上下面は上下面固定手段により固定する方法であるから、側面と上面の締め付けは大幅に労力軽減となり、簡単に篩網枠の出し入れができるようになる。
また、篩網枠の入れ替えや点検作業などの省力化に、大きな効果を発揮させることができる。
【００１１】
篩網枠の出し入れが容易である。
積層した篩網枠の縦方向の側面４ヶ所をしっかり固定するので、多くの篩網枠を重ねて使用することができる。
扉を用いて固定する方法などと異なり篩網枠の状態を直接見るみることができるので、入れ違いや粉漏れを容易に見つけることができる。
構造がシンプルで且つ廉価にできる。
【発明を実施するための最良の形態】
【００１２】
積み重ねた篩網枠の篩機本体側の角部二面を本体に取り付けた固定Ｌ字杆で支持し、篩網枠の他の外側角部二面を開閉自在に支持された可動Ｌ字杆で挟持し、該開閉可能なＬ字杆間に架設した締め付け手段より、篩網枠の側面を固定すると同時に、上下を長尺のねじ付締付棒で固定する。
【実施例】
【００１３】
この発明の装置の一実施例を図面に基づいて説明する。
図１は篩機の正面図、図２は同側面図、図３は同平面図、図４は篩網群に本装置を用いた状態の斜視図である。
図において、篩機１の取付台２の上部の駆動装置などを内蔵する本体３の側壁に、篩網枠４の内側角部５を挟持する固定Ｌ字杆６を立設する。
【００１４】
また、固定Ｌ字杆６に隣接して設けたヒンジ８にて、ホルダーアーム７の一端を回動自在に軸支し、他端には開閉可能な可動Ｌ字杆９を立設し、該可動Ｌ字杆９で篩網枠４の外側の角部１０を支持させる。
【００１５】
前記可動Ｌ字杆９には、篩網枠の側面締付手段が設けられている。この篩網枠の側面締付手段は、一方の可動Ｌ字杆９にＴ字締付ボルト１１の取付金具１２が設けられていて、他方の可動Ｌ字杆１３には架設されたＴ字締付ボルト１１の先端部の受金具１４が設けられていて、該受金具１４で支持したＴ字締付ボルトを締付ナット１５で締め付け、篩網体の側面を固定する。
なお、１６は篩網枠の上面を固定する上面締付用の長尺のねじ付締付棒であり、１７はナット、１８は吊り棒である。
【００１６】
この発明の装置は上記のとおりであるから、図３に示す様に多数積み上げた篩網枠４の角部（本体側）５を固定Ｌ字杆６で支持する。篩網枠の角部が支持され所定位置に納まったら、外方に位置していた可動Ｌ字杆９を回動して網枠の他方の角部１０を支持させる。
【００１７】
次に、回動Ｌ字杆９のＴ字締付ボルト１１の基端部を受座１２で支持させ、Ｔ字締付ボルト１１の先端部を他方の回動Ｌ字杆１３の受金具１４で支持し、締付ナット１５で締め付け、篩網枠を固定する。
【００１８】
また、図４に示すとおり、篩網を張設した篩網枠を積み重ねて篩網枠群４０とし、該篩網枠群４０を角隅部内側を縦方向にねじ付連結棒又は長尺のボルトで複数固定一体に形成し、該篩網枠群４０を篩機の機枠内に設けた本機取付台上の所定の位置に搬送収納して固定する。
その篩網枠群４０を本機取付台上の所定の位置に収納する際に、本体３側に位置する篩網枠群４０の角部２０を本体に立設した固定Ｌ字杆６でそえぞれを支持するとともに、外側に位置する篩網枠群の角部２１を、一端が回動可能に軸支されたホルダーアーム７の先端に立設した可動Ｌ字杆９にてそれぞれ支持し、前記篩網枠群４０の外側角部２１を支持する可動Ｌ字杆間の締め付け手段と、長尺のねじ付締付棒による篩網枠の上下面固定手段とで篩網枠の上下面及び側面を固定する。
【００１９】
この発明の装置は上記のとおり、積層した篩網枠の縦方向の側面４ヶ所をしっかり固定するので、多くの篩網枠を重ねて使用することができる。
また、従来の扉を用いて固定する方法などと異なり篩網枠の状態を直接見るみることができるので、入れ違いや粉漏れを容易に見つけることができる。
【００２０】
また、積層した篩網枠をねじ付連結棒又は長尺のボルトで一体として一つの群として保持しているので、篩い分け室への搬入・搬出が楽であり、さらに、篩枠の清掃や交換作業をする際の取り出し作業がし易い。
【産業上の利用可能性】
【００２１】
製粉業界のほか、化学製品、飼料などの粉粒体の篩分け作業を必要とする業界においても適用できる。
【図面の簡単な説明】
【００２２】
【図１】この発明の篩機の正面図でる。
【図２】同上の側面図である。
【図３】同上の平面図である。
【図４】篩網群に本装置を用いた状態の斜視図である。
【図５】従来の一例の篩機の外観を示す図である。
【符号の説明】
【００２３】
１  篩機
２  取付台
３  本体
４  篩網枠
５  篩網枠の内側角部
６  固定Ｌ字杆
７  ホルダーアーム
８  ヒンジ
９  可動Ｌ字杆（一方）
１０  外側角部
１１  Ｔ字締付ボルト
１２  取付金具
１３  可動Ｌ字杆（他方）
１４  受金具
１５  締付ナット
１６  上面締付用長尺ねじ付締付棒
１７  締付ナット
１８  吊り棒
４０  篩網枠群
【図１】
2005296767.tif 000003
【図２】
2005296767.tif 000004
【図３】
2005296767.tif 000005
【図４】
2005296767.tif 000006
【図５】
2005296767.tif 000007